(57)【特許請求の範囲】
【請求項１】
電源装置に挿抜可能に構成されるマガジンであって、
第一の電力供給部材を収納し、前記第一の電力供給部材を載置する第一の載置面および前記第一の載置面を囲む第一の側壁が形成されている第一の収納部と、
第二の電力供給部材を収納し、前記第二の電力供給部材を載置する第二の載置面および前記第二の載置面を囲む第二の側壁が形成されている第二の収納部と、
前記第二の電力供給部材に当接可能なロック部材と、
前記マガジンを前記電源装置に固定するための固定機構と、を有し、
前記第一の収納部および前記第二の収納部は、前記マガジンを前記電源装置に挿入する挿入方向に並んで配置されているとともに、前記第一の収納部は、前記第二の収納部よりも前記挿入方向における前方に配置されており、
前記第一の収納部には、前記第一の収納部に前記第一の電力供給部材を収納した際に、前記第一の載置面から前記第一の電力供給部材の端子を露出させる第一の開口部が形成されており、
前記第二の収納部には、前記第二の収納部に前記第二の電力供給部材を収納した際に、前記第二の載置面から前記第二の電力供給部材の端子を露出させる第二の開口部が形成されており、
前記第一の開口部は、前記挿入方向と直交する方向において、前記第二の開口部と異なる高さに形成されており、
前記ロック部材は、前記固定機構に連動して前記第二の電力供給部材に当接する状態と前記第二の電力供給部材に当接しない状態に切り換わることを特徴とするマガジン。
【請求項２】
前記第一の開口部は、前記挿入方向と直交する方向において、前記第二の開口部よりも高い位置に形成されていることを特徴とする請求項１に記載のマガジン。
【請求項３】
前記ロック部材は、前記固定機構の状態が、前記マガジンを前記電源装置に固定する固定状態である場合は、前記第二の電力供給部材に当接する状態となり、前記固定を解除する固定解除状態である場合は、前記第二の電力供給部材に当接しない状態に切り換わることを特徴とする請求項１または２に記載のマガジン。
【請求項４】
電源装置に挿抜可能に構成されるマガジンであって、
第一の電力供給部材を収納し、前記第一の電力供給部材を載置する第一の載置面および前記第一の載置面を囲む第一の側壁が形成されている第一の収納部と、
第二の電力供給部材を収納し、前記第二の電力供給部材を載置する第二の載置面および前記第二の載置面を囲む第二の側壁が形成されている第二の収納部と、を有し、
前記第一の収納部および前記第二の収納部は、前記マガジンを前記電源装置に挿入する挿入方向に並んで配置されているとともに、前記第一の収納部は、前記第二の収納部よりも前記挿入方向における前方に配置されており、
前記第一の収納部には、前記第一の収納部に前記第一の電力供給部材を収納した際に、前記第一の載置面から前記第一の電力供給部材の端子を露出させる第一の開口部が形成されており、
前記第二の収納部には、前記第二の収納部に前記第二の電力供給部材を収納した際に、前記第二の載置面から前記第二の電力供給部材の端子を露出させる第二の開口部が形成されており、
前記第一の開口部は、前記挿入方向と直交する方向において、前記第二の開口部と異なる高さに形成されており、
前記第一の収納部には、前記第一の収納部に前記第一の電力供給部材を収納した際に、前記第一の電力供給部材の第一の被係合部を露出させる第一の切り欠き部が形成されており、
前記第二の収納部には、前記第二の収納部に前記第二の電力供給部材を収納した際に、前記第二の電力供給部材の第二の被係合部を露出させる第二の切り欠き部が形成されており、
前記マガジンを前記電源装置に挿入した際に、前記第一の切り欠き部から露出した前記第一の被係合部が前記電源装置の第一の係合部と係合し、前記第二の切り欠き部から露出した前記第二の被係合部が前記電源装置の第二の係合部と係合するように、前記第一の切り欠き部および前記第二の切り欠き部が形成されていることを特徴とするマガジン。
【請求項５】
前記第一の開口部は、前記挿入方向と直交する方向において、前記第二の開口部よりも高い位置に形成されていることを特徴とする請求項４に記載のマガジン。
【請求項６】
前記第一の切り欠き部は、前記挿入方向と直交する方向において、前記第二の切り欠き部とは異なる高さに形成されていることを特徴とする請求項４または５に記載のマガジン。
【請求項７】
前記第一の側壁には、前記第一の被係合部と係合する第三の係合部が形成されており、
前記第二の側壁には、前記第二の被係合部と係合する第四の係合部が形成されており、
前記第一の側壁および前記第二の側壁は、前記マガジンに前記第一の切り欠き部および前記第二の切り欠き部が形成されることによって、可撓性を有することを特徴とする請求項４ないし６のいずれか一項に記載のマガジン。
【請求項８】
前記第一の収納部および前記第二の収納部は、前記第一の電力供給部材および前記第二の電力供給部材をそれぞれ載置した際に、前記第一の電力供給部材および前記第二の電力供給部材の長手方向と前記挿入方向が一致するように配置されることを特徴とする請求項１ないし７のいずれか１項に記載のマガジン。
【請求項９】
前記第一の電力供給部材は、電池パックであり、
前記第二の電力供給部材は、電池パックまたはカプラーであることを特徴とする請求項１ないし８のいずれか１項に記載のマガジン。
【請求項１０】
請求項１ないし９のいずれか１項に記載のマガジンと、
前記マガジンが挿抜可能に構成される本体部と、を備えた電源装置。
【請求項１１】
第一の電力供給部材を収納可能な第一の収納部と、第二の電力供給部材を収納可能な第二の収納部と、を備えたマガジンが挿抜可能に構成される電源装置であって、
前記第一の収納部に前記第一の電力供給部材を収納した際に、前記第一の収納部に形成される第一の開口部を介して露出する前記第一の電力供給部材の端子と接続する第一の接続端子と、
前記第二の収納部に前記第二の電力供給部材を収納した際に、前記第二の収納部に形成される第二の開口部を介して露出する前記第二の電力供給部材の端子と接続する第二の接続端子と、
前記第一の収納部に前記第一の電力供給部材を収納した際に、前記第一の収納部に形成される第一の切り欠き部を介して露出する前記第一の電力供給部材の第一の被係合部と係合する第一の係合部と、
前記第二の収納部に前記第二の電力供給部材を収納した際に、前記第二の収納部に形成される第二の切り欠き部を介して露出する前記第二の電力供給部材の第二の被係合部と係合する第二の係合部と、を有し、
前記第一の接続端子および前記第二の接続端子は、前記マガジンを前記電源装置に挿入する挿入方向に並んで配置されているとともに、前記第一の接続端子は、前記第二の接続端子よりも前記挿入方向における前方に配置されており、
前記第一の接続端子は、前記挿入方向と直交する方向において、前記第二の接続端子と異なる高さに配置されていることを特徴とする電源装置。
【請求項１２】
前記第一の係合部は、前記挿入方向と直交する方向において、前記第二の係合部と異なる高さに配置されることを特徴とする請求項１１に記載の電源装置。
【請求項１３】
撮像素子と、
請求項１０ないし１２のいずれか一項に記載の電源装置と、を備えた撮像装置。
【発明の詳細な説明】
【技術分野】
【０００１】
本発明は、複数の電池パック（電力供給部材）を収容可能なマガジンに関し、特にカメラの電源装置に着脱可能に構成されるマガジンに関する。
【背景技術】
【０００２】
特許文献１には、複数の電池パックを装置本体へ直接装填するタイプの外部電源装置が提案されている。
【０００３】
また、特許文献２には、複数の電池パックを一旦マガジンへ装着し、同マガジンを装置本体に挿入するタイプの外部電源装置もしくはカメラ本体が提案されている。
【先行技術文献】
【特許文献】
【０００４】
【特許文献１】特開２００１−２１９７４号公報
【特許文献２】特開２００９−１７０２３６号公報
【発明の概要】
【発明が解決しようとする課題】
【０００５】
特許文献１および２に開示されるように、カメラ底面部に位置する電源装置は、カメラ本体部と同様なレリーズ釦などの操作部材が配置され、ユーザーが把持するグリップ部分となる縦位置撮影用グリップ機能も有する事が多い。ただし、電源装置が特許文献１のような複数の電池パックを装置背面から直接電源装置本体に装着するタイプであった場合、矩形状の電池パックの長手方向が、装置前後方向に横たわる状態となる。そのため、電源装置本体の断面形状が電池パックの形状に合わせて制限され、角ばった把持しにくい断面形状となってしまう。また電源装置本体背面には電池挿抜のための電池蓋が広範囲に設けられているため、装置背面に配置出来る操作部材が制限される。このため、縦位置撮影時必要な操作部材を適切な位置に配置出来ない可能性がある。
【０００６】
一方、特許文献２のような電源装置は、電池パックを電池長手方向が電源装置本体長手方向と平行になるようにマガジン上に並べているので、電源装置本体の断面形状が電池パックの影響を受けにくく、特に装置前面側の指掛かり形状を自由に設定出来る。また電源装置本体内に筒状に形成された収納部にマガジンを電源装置本体側面より挿入する形態であるため、電源装置本体背面部への操作部材の配置が容易である。
【０００７】
しかし、特許文献２の電源装置の場合は、マガジンと電源装置本体とを電気的に接続する中継接点が余分に必要となる。またマガジンには各電池パックが接続される電池接続接点と中継接点をつなぐリード線などの接続部材や、接続部を隠すカバー等も必要となる。従って、中継接点による接触点が増える事で、振動によるマイグレーションや、接点部の摩耗、腐食等による接触不良事故の発生確率が増大し、部品点数の増加によるコストアップも発生する。
【０００８】
そこで、本発明は上記課題を鑑み、複数の電力供給部材を収納可能なマガジンタイプの電源装置において、電気的信頼性に優れ、コストを低減することのできるマガジン、電源装置、および、撮像装置を提供することを目的とする。
【課題を解決するための手段】
【０００９】
本発明のマガジンは、電源装置に挿抜可能に構成されるマガジンであって、第一の電力供給部材を収納し、前記第一の電力供給部材を載置する第一の載置面および前記第一の載置面を囲む第一の側壁が形成されている第一の収納部と、第二の電力供給部材を収納し、前記第二の電力供給部材を載置する第二の載置面および前記第二の載置面を囲む第二の側壁が形成されている第二の収納部と、前記第二の電力供給部材に当接可能なロック部材と、前記マガジンを前記電源装置に固定するための固定機構と、を有し、前記第一の収納部および前記第二の収納部は、前記マガジンを前記電源装置に挿入する挿入方向に並んで配置されているとともに、前記第一の収納部は、前記第二の収納部よりも前記挿入方向における前方に配置されており、前記第一の収納部には、前記第一の収納部に前記第一の電力供給部材を収納した際に、前記第一の載置面から前記第一の電力供給部材の端子を露出させる第一の開口部が形成されており、前記第二の収納部には、前記第二の収納部に前記第二の電力供給部材を収納した際に、前記第二の載置面から前記第二の電力供給部材の端子を露出させる第二の開口部が形成されており、前記第一の開口部は、前記挿入方向と直交する方向において、前記第二の開口部と異なる高さに形成されており、前記ロック部材は、前記固定機構に連動して前記第二の電力供給部材に当接する状態と前記第二の電力供給部材に当接しない状態に切り換わる。
【発明の効果】
【００１０】
本発明によれば、複数の電力供給装置を収納可能なマガジンタイプの電源装置において、電気的信頼性に優れ、コストを低減することのできるマガジン、電源装置、および、撮像装置を提供することができる。
【図面の簡単な説明】
【００１１】
【図１】本発明を用いた外部電源装置を背面から見た斜視図である。
【図２】本発明を用いた外部電源装置を前方から見た斜視図である。
【図３】本発明を用いた外部電源装置を装着したカメラの平面図である。
【図４】本発明を用いた外部電源装置のマガジンを示した平面図および断面図である。
【図５】電池装着状態のマガジンを電源装置本体部挿入側から見た斜視図である。
【図６】マガジン係止機構と第二の電池保持機構を示した分解斜視図である。
【図７】マガジン係止機構と第二の電池保持機構の動作図である。
【図８】本発明を用いた外部電源装置の装置本体部の分解斜視図である。
【図９】本発明を用いた外部電源装置の装置本体部の断面図である。
【図１０】第二の実施例のマガジンを示した斜視図である。
【図１１】第二の実施例のメインベースユニットとマガジンを示した斜視図である。
【図１２】本発明の実施例にかかる電池パックを示した斜視図である。
【図１３】本発明の実施例にかかるカメラ本体への電池装填方法を示した斜視図である。
【発明を実施するための形態】
【００１２】
以下に、本発明に好ましい実施の形態を添付の図面に基づいて詳細に説明する。
【実施例１】
【００１３】
まずは図１２および図１３を用いて撮像素子を有するカメラ本体（撮像装置）および本発明を用いた外部電源装置に使用する電池パック（電力供給部材）について説明する。図１２の上段（ａ）は電池端子群２１７が見える方向から見た斜視図、下段（ｂ）は（ａ）とは相対する方向から見た斜視図である。
【００１４】
電池パック２０１（以降簡単のため「電池２０１」と称する）の筺体は略矩形状を成しており内部に複数のリチウムイオン電池セル等を内包する。筺体の各面は、互いが隣接する辺２２０側に後述の電池端子群２１７がまたがって配置されたパック前面２０２およびパック底面２０３を有する。また、パック前面２０２に筺体長手方向で対向するパック後面２０４、筺体長手方向に沿って複数の係合溝２０９、２１０、２１１、２１２が形成されたパック側面２０５ならびに２０６を有する。また、パック底面２０３に対向し、パック側面２０５、２０６より曲面２０５ａ、２０６ｂを介して繋がるパック天面２０７を有する。
【００１５】
電源端子群２１７はカメラ本体や外部電源装置に接続され、電源の供給を行うための電池電源端子２１８や電池残量等の通信を行うための電池通信端子２１９等で構成される。電池電源端子２１８にはパック前面２０２とパック底面２０３にまたがって、それぞれ＋−の両極に対応する一対のスリット２１８ａが形成されており、内部に不図示の接続接片を内包する。また電池通信端子２１９はパック前面２０２側と平行な前端部２１９ａとパック底面２０３と平行な後端部２１９ｂを有したＬ字状に形成されている。
【００１６】
パック側面２０５、２０６に形成されている係合溝２０９、２１０、２１１、２１２はパック底面２０３寄りに配置されており、パック底面２０３のパック側面２０５、２０６と隣接する両辺に設けられた複数の切り欠け溝２１５と繋がっている。
【００１７】
ここであらかじめ外部電源装置を装着していないカメラ単体を用いて上記電池２０１の主装填方向について説明する。
【００１８】
図１３は電池２０１が装填されるカメラ３０１の底面部を示した斜視図である。カメラ電池室３０９内には前述の電池端子群２１７と接続されるカメラ電源ブレード３０６やカメラ通信接片３０７からなるカメラ端子群３１３が配置されている。カメラ電源ブレード３０６は前述の電池電源端子２１８のスリット２１８ａに挿入される一対のブレード板３０６ａを有し、カメラ通信接片３０７は可撓性を有し、先端に電池通信端子２１９と接触可能な接触端３０７ａを具備する。
【００１９】
またカメラ電池室３０９内壁には対向して配置されるレール３０８（対向するもう一方は不図示）が形成されている。また電池室天面３１４には後述する外部電源装置のコネクタピン１１と接続される通信パッド群３１０が配置されている。
【００２０】
電池２０１をカメラ電池室３０９内へ侵入させると電池のパック側面の係合溝のうちパック前面２０２寄りの係合溝２０９、２１１がレール３０８と係合してカメラ電池室内での主装填方向に対して垂直方向のガタを規制される。電池２０１の挿入を完了するとバネ付勢された揺動可能な電池ロックレバー３１５により電池の後面２０４が仮保持され、カメラ電池蓋３０５を閉じるとカメラ３０１への電池２０１の装填が完了する。
【００２１】
図にも示されるように電池２０１はパック前面２０２側より電池長手方向にカメラ電池室３０９内へ挿入する事で電池端子群２１７とカメラ端子群３１３との接続を可能としており、この装填方向を主装填方向とする。電池端子群２１７とカメラ端子群３１３の接続時、ブレード板３０６ａはパック前方面側から電源端子２１８のスリット２１８ａに入り込む。また、カメラ通信端子３０７は接触端３０７ａが電池通信端子２１９の前端部２１９ａに接触した後、退避しながら後端部２１９ｂとの接触に移り変わる。
【００２２】
なお他に図示されるカメラ３０１底面に配置された三脚雌ネジ３１１および位置決め穴３１２は後述の外部電源装置の装着時に使用される。
【００２３】
次に本発明を用いた外部電源装置について概要を説明する。図１はマガジン３を引き出した状態の外部電源装置１を背面側から見た斜視図であり、図２はマガジン３装着状態の外部電源装置１を前方から見た斜視図である。図１および図２に示すように、本発明の外部電源装置１は、マガジン３と、該マガジン３が挿抜可能に構成される装置本体部２と、を備える。また図３は外部電源装置１をカメラ３０１下部に装着した状態を示した平面図であり、（ａ）はカメラをレンズマウント３２０が配置された前方側から見た図、（ｂ）はＴＦＴモニタ３２１が配置された背面側から見た図である。図３に示すように、本発明の撮像装置は、撮像素子を有するカメラ本体と、外部電源装置１と、を備えて構成される。なお、本実施例では、外部電源装置１をカメラ本体に着脱可能に構成しているが、本発明はこれに限定されず、カメラ本体と電源装置１が一体となって構成されてもよい。
【００２４】
以降、カメラ３０１と外部電源装置１の説明中における左右方向は背面から見た状態を基準にし、例として外部電源装置１の電池蓋５２が配置された側を左側面とする。
【００２５】
図３中（ｂ）はカメラ本体を９０°回転させた状態となっているが、これは外部電源装置１が装置本体部２を縦位置撮影時にグリップとして把持可能な後述の縦位置撮影グリップ機能を有していることを示している。
【００２６】
外部電源装置１の装置本体部２には全周にグリップラバー１８が張り付けられ前面側に指掛け部２９が形成されると共に、カメラ本体側の操作部材３１６、３１７に相当するレリーズ釦８や電子ダイアル９が配置される。また背面側には親指保持部２４が形成されるとともに、カメラ背面側の操作部材３０２、３０３、３０４に相当する、マルチコントローラ１９やＡＥロック等各種機能が割り当てられた釦類２０、２１等の操作部材が配置される。
【００２７】
外部電源装置１への電池の着脱は、ユーザーによる把持が行われない装置本体部２の側面に電池室開口部５を有し、装置本体部２内部にほぼ筺体長手方向全域にわたって形成された電池室４に、電池２０１を取り付けたマガジン３を挿抜する事により行う。換言すれば、本発明におけるマガジンは、外部電源装置１に挿抜可能（着脱可能）に構成されており、外部電源装置１は、本発明のマガジンを挿抜可能（着脱可能）に構成されている。
【００２８】
マガジン３には電池室４へ先行して侵入する第一の電池収納部８３と遅れて侵入する第二の電池収納部８４へ合計２本の電池２０１が装着可能である。具体的に、第一の電池収納部８３（第一の収納部）は、電池２０１（第一の電力供給部材）を収納し、該第一の電力供給部材を載置する収納部床面７０（第一の載置面）および該収納部床面７０を囲む第一の側壁７６，７９，８０を有する。また、第二の電池収納部８４（第二の収納部）は、電池２０１（第二の電力供給部材）を収納し、該第二の電力供給部材を載置する収納部床面７１（第二の載置面）および該収納部床面７１を囲む第二の側壁７７，８０，８１を有する。また、第一の電池収納部８３および第二の電池収納部８４は、マガジン３を外部電源装置１に挿入する挿入方向に並んで配置されているとともに、第一の電池収納部８３は、第二の電池収納部８４よりも挿入方向における前方に配置されている。したがって、第一の電池収納部８３は、マガジン３が外部電源装置１に挿入される際に、第二の電池収納部８４よりも先に挿入される。また、第二の電池収納部８４は、マガジン３が外部電源装置１に挿入される際に、第一の電池収納部８３が挿入された後に挿入される。なお、第一の電池収納部８３の収納部床面７０は、第二の電池収納部８４の収納部床面７１と平行に配置される。
【００２９】
また、各電池収納部８３、８４には、電池２０１が前述の電池主装填方向がマガジン３の挿入方向と一致するように装着される。換言すれば、第一の電池収納部８３と第二の収納部８４は、電池２０１（第一の電力供給部材および第二の電力供給部材）をそれぞれ載置した際に、電池２０１の長手方向とマガジン３の挿入方向が一致するように配置される。マガジン３に対して電池２０１を載置する際には、電池２０１は、マガジン３の挿抜方向と直交する方向（収納部床面７１，７２と直交する方向）から載置される。
【００３０】
また、マガジン３の底面に設けられた開口部７２、７３に電池端子群２１７を露出させる。すなわち、第一の電池収納部８３には、第一の電池収納部８３に電池２０１（第一の電力供給部材）を収納した際に、収納部床面７０から電池２０１（第一の電力供給部材）の端子を露出させる開口部７２（第一の開口部）が形成されている。また、第二の電池収納部８４には、第二の電池収納部８４に電池２０１（第二の電力供給部材）を収納した際に、収納部床面７１から電池２０１（第二の電力供給部材）の端子を露出させる開口部７３（第二の開口部）が形成されている。なお、詳しい内容は後述するが、開口部７２は、マガジン３を外部電源装置１に挿入する挿入方向と直交する方向において、開口部７３と異なる高さに形成されている。もう少し言えば、開口部７２は、マガジン３の挿抜方向と直交する方向、かつ、収納部床面７１，７２と直交する方向において、開口部７３と異なる高さに形成されている。
【００３１】
マガジン３の装置本体部２への固定はマガジンの電池蓋５２に設けられた後述のマガジン係止機構によって行う。マガジン３を装置本体部２に挿入した状態でフラップ５５を指でつまんで回転ノブ５４を図１に示す開放状態から右旋させる。そうすると、回転ノブ５４に連動して回転するフック（ここでは不図示）が、電池室開口部５の上下に配置された上フック係止板２３と下フック係止板３２aと係合し、電池蓋５２が電池室開口部５を塞ぐ形でマガジン３を固定する。なおマガジン固定状態において回転ノブ５４のフラップ５５は電池蓋５２に形成された凹部５２a内に収納可能である。
【００３２】
本発明において上記のマガジン３による電池着脱方法を用いる利点は以下の通りである。
【００３３】
第一に、装置本体部２のうちユーザーの把持と関係しない側面に電池室開口部５を設けるため、特に装置本体背面に前述のような多くの操作部材を適切な位置に配置する事が可能となる。
【００３４】
第二に、電池２０１の長手方向は装置本体部２の筺体長手方向に沿うように並べて配置されているため電池室４の断面積が極力小さくなり、装置本体部の断面が電池収納スペースの影響を受ける事無く把持性の高い自由な形状に形成する事が可能となる。図９の下段（ｂ）は電池２０１を装填した状態の装置本体部２の指掛け部２９と親指保持部２４付近の断面図であるが、電池２０１の断面形状に合わせて、装置本体部２の上部が把持に適切な形状に絞り込まれているのが分かる。
【００３５】
従ってマガジン３による電池着脱方法により、把持性に優れ、操作性の高い縦位置グリップ機能を有した外部電源装置を提供する事が可能となる。
【００３６】
カメラ３０１と密着する装置本体部２天面の天面化粧版１４の中央には三脚雄ネジ１５が突出しており、三脚ネジノブ１７の締め付け操作により前述のカメラ底面の三脚雌ねじ３１１に締め込まれ、外部電源装置１をカメラ３０１に固定する。位置決めピン１６はカメラ底面の位置決め穴３１２と嵌合し、カメラ３０１と外部電源装置１のズレを防止する。
【００３７】
装置本体部２上面脇に取り付けられたタワー部６はカメラ３０１装着時にはカメラ電池室内３０９内に挿入される。タワー部６は電池２０１と等価の形状を有しており、先端のカバー１０上には電池端子群２１７と同様なタワー電源端子１３やタワー通信端子１２が配置される。さらに最上部には、前述のカメラ電池室天面３１４の通信パッド群３１０と接続可能で、各操作部材を含む外部電源装置１の動作状態を示す信号をカメラに伝達するコンタクトピン群１１が配置される。
【００３８】
次にマガジン３の詳細について説明する。図４はマガジン３の構造と電池装着方法を説明するための図であり、（ａ）は電池が装着されていないマガジン３を上方から見た平面図、（ｂ）および（ｃ）はマガジンの電池装着過程を示した断面図である。
【００３９】
マガジン３は大きく分けて第一、第二の電池収納部８３、８４を有するマガジン本体５１と、マガジン係止機構を備える電池蓋５２で構成される。マガジン本体５１に形成された第一、第二の電池収納部８３、８４は双方ともほぼ同等な構造をなしており、ここでは各部位の番号について第二の電池収納部のものを括弧内に示す。
【００４０】
電池収納部８３（８４）は、電池２０１のパック底面２０３が乗せられる収納部床面７０（７１）を有する。また、電池２０１の幅とほぼ同一の間隔で対向して設けられ、前述の電池の係合溝２０９、２１０、２１１、２１２と係合可能な複数の電池係合爪６５（６７）を有した収納部側壁７６（７７）を有する。また、電池の長手方向の前後を仕切る電池仕切り壁（側壁）７９、８０（８０、８１）を有する。電池収納部８３（８４）は、これら収納部床面７０（７１）、収納部側壁７６（７７）、電池仕切り壁７９、８０（８０、８１）で構成される。前述の電池端子群２１７が露出する開口部７２（７３）は収納部床面７０（７１）と電池仕切り壁７９（８０）にまたがって形成されている。
【００４１】
また収納部床面７０（７１）には可撓性を有する電池着脱レバー６６（６８）が一体成形されており、電池係止爪６６ａ（６８ａ）と排出ノブ６６ｂ（６８ｂ）を具備している。仕切り壁７９（８０）に取り付けられた電池排出バネ７４（７５）は電池収納部内側へ向かって付勢力を有している。
【００４２】
次に図４の（ｂ）、（ｃ）で示す断面図を用いて各電池収納部８３、８４への電池の着脱方法について説明する。なお第一の電池収納部８３と第二の電池収納部８４は基本的に同一構造なので、ここでは第一の電池収納部８３を用いて説明する。
【００４３】
図中（ｂ）に示すように、電池２０１は一旦電池の切り欠け溝２１５が電池収納部８３の電池係合爪６５と一致する位置でマガジン３上方より電池収納部８３に置かれる。ここで、電池２０１のマガジン３への挿入方向は、外部電源装置１に対するマガジン３の挿抜方向と直交する方向であり、収納部床面７１，７２と直交する方向である。この時点では電池２０１が電池着脱レバー６６に形成された電池係止爪６６ａに干渉する状態となるが、電池２０１を挿入動作の力により電池収納部床面７０に軽く押しつけることになるので、電池着脱レバー６６が下方へ撓んで退避する。
【００４４】
次に図中（ｂ）の状態から電池排出バネ７４の付勢力に抗して、電池２０１を主装填方向（図中左方向）にスライドさせる。そうすると、図中（ｃ）に示すように電池の係合溝２０９、２１０、２１１、２１２に各電池係合爪６５が入り込むことで電池２０１の図中上方への抜けが防止される。さらにスライド動作を完了する瞬間に電池のパック後面２０４に電池着脱レバー６６の電池係止爪６６ａが前述の撓みによって生じた付勢力によって飛び込み、電池排出バネ７４の付勢力により電池２０１が図中右方へ戻る事を抑止される。これにより、電池２０１が電池収納部８３内に固定される。従って上記の電池係合爪６５や電池着脱レバー６６は、本発明の第一の電池保機構を構成する。
【００４５】
一方電池２０１の取り外しは電池着脱レバー６６に形成された排出ノブ６６ｂを指で押し下げて電池係止爪６６ａを電池のパック後面２０４より退避させる事で行う。電池係止爪６６ａが退避すると電池２０１は電池排出バネ７４の付勢力により図中右方向へ押し出され前述の図中（ｂ）に示した位置まで後退する。従って電池の切り欠け溝２１３、２１０、２１１、２１２が電池係合爪６５と一致するので、電池２０１を持ち上げて取り外す事が可能となる。
【００４６】
以上がマガジン３への電池の着脱方法であるが、各図から明らかなように第一の電池収納部８３と第二の電池収納部８４には高低差が設けられている事が分かる。図５は電池が装着されたマガジン３底面をマガジン挿入側から見た斜視図である。各電池収納部８３、８４に高低差を与える事で、第二の電池収納部８４に装着された電池２０１の電源端子群２１７は第一の電池収納部８３側のマガジン底面８２より下方に露出する。言い換えると第一の電池収納部８３に装着される電池２０１は、およそ第二の電池収納部８４に装着された電池の電池端子群２１７の高さ分、第二の電池収納部８４に収納された電池２０１より高い位置に位置する事になる。つまり、第一の電池収納部８３の収納部床面７０は、第二の電池収納部８４の収納部床面７１に対し、電池２０１（第二の電力供給部材）の載置側に配置される。したがって、開口部７２は、マガジン３の挿抜方向と直交する方向（収納部床面７０，７１と直交する方向）において、第二の電池収納部８４の収納部床面７１とは反対側のマガジン底面８２からの高さが、開口部７３よりも高い位置に配置される。
【００４７】
次に前述のマガジン３を装置本体部２に固定するためのマガジン係止機構９５を有する電池蓋５２の詳細を説明する。図６は電池蓋５２に設けられたマガジン係止機構９５の分解斜視図である。図７はマガジン係止機構９５の動作図であり、図中上段の（ａ）はマガジン３を装置本体部２に挿抜可能な状態（固定解除状態）を、図中下段の（ｂ）はマガジン３を装置本体部２に固定した状態（固定状態）を示している。図７の図中左側は第二の電池収納部の一部を含めたマガジン係止機構９５の断面図、右側は電池蓋５２と開閉ノブ５４を取り除いた状態のマガジン係止機構９５の平面図である。
【００４８】
開閉ノブ５４にはスプリングピン６２等を用いてフラップ５５が軽い摩擦力を有した状態で軸支される。電池蓋５２の穴５２ｂに挿入された開閉ノブ５４には、内側からフック５６がビス５７を用いて固定され、角穴５６ｆの勘合により開閉ノブ５４とフック５６は一体化して回動可能となっている。フック５６の長手方向両端は前述の電池室開口部５に設けられた上フック係止板２３と係合可能な上係合端５６ａと、下フック係止板３２aと係合可能な下係合端５６ｂとなっており、角穴５６ｆ近傍には傾斜面５６ｃが形成されている。
【００４９】
さらにマガジン係止機構９５とマガジン本体５１の第二の電池収納部８４の間には、マガジン係止機構９５に連動する電池ロック部材６０を用いた、第二の電池保持機構９６が設けられている。マガジン本体５１の仕切り壁（側壁）８１の裏面側（電池蓋側）には電池ロック部材６０が、仕切り壁８１の開口部８１ｂに挿入される。また、軸部仕切り壁８１に形成された溝８１ａで回動軸６０ｂを軸支される形で取り付けられ、ビス５９を用いて仕切り壁８１に固定される押さえ板５８で回動軸６０ｂを押さえまれて保持される。電池ロック部材６０にはフック５６と当接可能なカム面６０ａと第二の電池収納部８４に進退するロック部６０ｃが形成されており、回動軸６０ｂに取り付けたトーションバネ６１により図６の断面図上で右旋方向に付勢されている。
【００５０】
図７の（ａ）に示す固定解除状態では、フックの上係合端５６ｂと下係合端５６ａは電池蓋内部に収納されており、マガジン３の装置本体部２への固定は行われない。電池ロック部材６０は、フックの傾斜面５６ｃが図中上方の電池ロック部材のカム面６０ａに対向するように位置するため、第二の電池収納部８４より退避した状態でトーションバネ６１の付勢力を受けて保持される。
【００５１】
図７の（ｂ）に示す固定状態では、固定解除状態から９０°旋回したフックの上係合端５６ｂと下係合端５６ａがマガジン本体５１の仕切り壁８１の上下に突出し、上フック係止板２３と下フック係止板３２aと係合する。そうすることによりマガジン３を装置本体部２に固定する。一方電池ロック部材６０は、フックの平面部５６ｄが図中上方の電池ロック部材のカム面６０ａに対向するように位置するため、カム面６０ａが平面部５６ｄに押されてトーションバネ６１の付勢力に抗して図において左旋する。そして、ロック部６０ｃが第二の電池収納部８４に侵入した状態となる。この時第二の電池収納部８４に電池２０１が収納されている場合は、ロック部６０ｃが電池２０１のパック天面２０７とパック後面２０４が隣接する角部を抑え込む。なお第二の電池保持機能を設けている理由については別途後述説明する。このように、本実施例によれば、第二の電池収納部８４に収納された電池２０１（第二の電力供給部材）を固定するため、該第二の電力供給部材が収納部床面７１と接触するパック底面２０３と反対側の天面２０７に当接可能な電池ロック部材６０を備えている。上述したように、電池ロック部材６０は、マガジン３を電源装置本体部２に固定するためのマガジン係止機構９５（固定機構）の状態に応じて位置が変化するように構成されている。すなわち、電池ロック部材６０は、マガジン係止機構９５に連動して電池２０１（第二の電力供給部材）に当接する状態と該電池２０１に当接しない状態とに切り換わる。具体的には、電池ロック部材６０は、マガジン係止機構９５の状態が、マガジン３を電源装置本体部２に固定する固定状態である場合は、第二の電池収納部８４に進入して電池２０１の天面２０７に当接可能な第一の位置に移動する。また、マガジン係止機構９５の状態が、固定を解除する固定解除状態である場合は、第二の電池収納部８４から退避した第二の位置に移動する。すなわち、電池ロック部材６０は、マガジン係止機構９５の状態が、マガジン３を電源装置本体部２に固定する固定状態である場合は、電池２０１（第二の電力供給部材）に当接する状態となる。また、マガジン係止機構９５の状態が、固定を解除する固定解除状態である場合は、電池２０１（第二の電力供給部材）に当接しない状態へと切り換わる。
【００５２】
次にマガジン３が挿入される装置本体部の電池室４の構造について説明する。図８は装置本体部の分解斜視図であり主要な部分のみ示している。
【００５３】
装置本体部２の外装部材であるフロントカバー９３とバックカバー９４と樹脂製のメインベース３１で構成されるメインベースユニット３０により電池室４の大部分が構成される。フロントカバー９３の天面９３ａとバックカバー９４の天面９４ａで仕切られる電池室４の上部にはメイン基板ユニット９２が取り付けられる。メイン基板ユニット９２には後述するメインベースユニット３０上に配置された第一、第二接続端子群３６、４０やフロントカバー９３やバックカバー９４に配置された操作部材と電気的に接続されている。また、電池から供給される電源や各操作部材の信号等について、タワー部６に設けられたタワー電源端子１３やタワー通信端子１２およびタクトピン群１１との間を中継する回路が実装されている。
【００５４】
さらにメイン基板ユニット９２の上方には三脚雄ネジ１５、三脚ネジノブ１７、位置決めピン１６が取り付けられたトッププレートユニット９１と天面化粧版１４が取り付けられる。メインベースユニット３０の下面には、前述の下フック係止部３２ａが一体形成されたボトムプレート３２が取り付けられる。下フック係止部３２ａに隣接して配置される電池蓋開閉検知レバー３３は、マガジン３の装置本体部２への固定時に下フック係止板３２ａに係合するフックの下係合端５６ｂに押されて回動する。そして、内部の不図示のスイッチが切り替わる事でマガジン３が装着完了した事をコネクタピン群１１を介してカメラに伝達する。
【００５５】
電池室４の底面部を構成するメインベースユニット３０には前述したカメラ電池室３０９内に配置されているものと同様な電源ブレード３４、３８および可撓性の通信接片３５、３９が配置されている。電源ブレード３４および通信接片３５は、マガジン３の第一の電池収納部８３に装着された電池の電池端子群２１７と接続可能な第一の接続端子群３６に配置されている。電源ブレード３８および通信接片３９は、マガジン３の第二の電池収納部８４に装着された電池の電池端子群２１７と接続可能な第二の接続端子群４０に配置されている。すなわち、本発明のマガジン３は、第一の電池収納部８３において、外部電源装置１に設けられた第一の接続端子群３６（第一端子、第一の接続端子）と直接接続できるように、装着された電池の電池端子群２１７を露出する開口部７２を有している。また、第二の電池収納部８４において、外部電源装置１に設けられた第二の接続端子群４０（第二端子、第二の接続端子）と直接接続できるように、装着された電池の電池端子群２１７を露出する開口部７３を有している。また、開口部７２は、第一の電池収納部８３に装着された電池の端子と第二の接続端子群４０が干渉しないように、開口部７３と異なる高さに配置される。一方、メインベースユニット３０は、第一の電池収納部８３に形成される開口部７２を介して露出する電池端子群２１７と接続する第一の接続端子群３６（第一端子、第一の接続端子）を有している。また、第二の電池収納部８４に形成される開口部７３を介して露出する電池端子群２１７と接続する第二の接続端子群４０（第二端子、第二の接続端子）を有している。なお、第一の接続端子群３６および第二の接続端子群４０は、マガジン３が外部電源装置１に挿入する挿入方向において、外部電源装置１のマガジン３を挿入する電池室開口部５から、第二の接続端子群４０、第一の接続端子群３６の順で配置される。換言すれば、第一の接続端子および第二の接続端子は、マガジン３を外部電源装置１に挿入する挿入方向に並んで配置されているとともに、第一の接続端子は、第二の接続端子よりも挿入方向における前方に配置されている。また、第一の接続端子群３６が設置される設置面は、第二の接続端子群４０が設置される設置面と平行に配置される。
【００５６】
このように、電源ブレード３４、３８および通信接片３５、３９は、第一の接続端子群３６と第二の接続端子群４０に分かれて配置されている。また図から明らかなように第一の接続端子群３６と第二の接続端子群４０は、マガジン３の第一の電池収納部８３と第二の電池収納部８４に対応する高低差を設けて配置されている。換言すれば、第一の接続端子群３６は、マガジン３を電源装置に挿入する挿入方向と直交する方向において、第二の接続端子群４０と異なる高さに配置されている。すなわち、第一の接続端子群３６は、第一の電池収納部８３に載置された電池２０１の端子群と直接接続できるように、前述した設置面と直交する方向において、第二の接続端子群４０と異なる高さに配置される。また、第二の接続端子群４０は、第二の電池収納部８４に載置された電池２０１の端子群と直接接続できるように、前述した設置面と直交する方向において、第一の接続端子群３６と異なる高さに配置される。ここで、設置面と直交する方向とは、マガジン３を電池室４内に収容した状態における収納部床面７０，７１と直交する方向に相当する。
【００５７】
マガジン３にて電池室４内に収容される各電池２０１に、電池２０１の主装填方向に対し垂直方向（すなわち、マガジン３の挿抜方向と直交する方向、かつ、収納部床面７０，７１と直交する方向）となる高低差を設けている理由について説明する。これは、マガジン３の電池室４挿入過程において電池室４内の手前側に配置されている第二の接続端子群に対して、第一の電池収納部８３に収納されている電池２０１やマガジン３先端部そのものが干渉する事を避けるためである。
【００５８】
なお第一、第二の電池端子群３６、４０それぞれの近傍にはカメラ電池室３０９内には設けられていないマガジンの各電池収納部の電池装着の有無を検知するための電池検出スイッチ突子３７、４１が配置されている。電池が装着されていた場合は電池のパック底面部２０３がスイッチ突子３７、４１を押し込むことで内部の不図示のスイッチ素子が切り替わり、前述のコネクタピン群１１を介してカメラ３０１に電池の装着状態を伝達する。また第二の接続端子群４０の近傍には、第一の接続端子群３６には設けられていないカプラー接続端子４２が配置されている。これは第二の電池収納部８４に装着可能な商用電源を用いて電力を供給する電池形状を模したカプラー（電力供給部材）が装着された場合にカプラーと通信しカプラーとするためのものである。
【００５９】
以上が実施例におけるマガジン３と電池室４の構造の説明であるが、前述した第二の電池収納部側にマガジン係止機構９５に連動する第二の電池保持機構９６を設けている理由は以下の通りである。
【００６０】
図９はマガジン３が装着された装置本体部２内部、即ち電池室４を示した断面図である。
【００６１】
マガジン３を電池室４に挿入した状態では、電池２０１を係止している電池着脱レバー６６、６８はメインベース３１上面に形成されているレバー抑止面３１ａ、３１ｂと当接する事で下方への撓みを防止されている。そのため、軽度の衝撃では電池係止爪６６ａ、６８ａによる電池の係止が外れないようになっている。
【００６２】
ところが第一の電池収納部８３と第二の電池収納部８４に設けられた高低差のため、第二の電池収納部８４に装着される電池２０１の上部には、電池室天井面４ａとの間に高低差分の隙間Ｋを生じてしまう。さらに装置本体部２の筺体サイズの制約からマガジン３の長さに制限がある場合、前述の電池装着時のスライド操作による電池係合爪６７と電池の係合溝２０９との係合量Ｈが充分に取れないため、電池２０１の上下方向の保持が充分でない場合がある。過度の衝撃が加わると第二の電池収納部８４に装着された電池２０１は、電池係止爪６８ｂを乗り越えて電池収納部８４から外れてしまう可能性がある。すなわち、過度の衝撃が加わると上下方向を規制されていない、パック後面２０４の電池係止爪が係止されている側が自重で持ち上がろうとし、電池重量によるマガジンの変形もあいまって、電池２０１が電池収納部８４から外れてしまう可能性がある。そこでマガジン係止機構９５と連動する第二の電池保持機構９６を設けることにより、過度の衝撃を受けた際に第二の電池収納部８４の電池２０１の外れを防止する。マガジン３を装置本体部２から取り外し電池交換する場合はマガジン保持機構は固定解除状態であるため、電池ロック部材６０が第二の電池収納部から退避し電池の着脱を妨げる事はない。
【００６３】
なお第一の電池収納部８３に装着された電池２０１は、電池の上部に電池室天井面４ａが近接するため電池２０１が持ち上がる余裕がほとんど無く、たとえ過度の衝撃が加わっても電池係止爪６８ａを乗り越えて外れしまう可能性は非常に低い。極端に言えば電池係合爪６５等からなる第一の電池保持機構も不要であるが、二つの電池収納部８３、８４の電池着脱操作性を統一する意味も含めて、両電池収納部８３、８４は同一構造となっている。
【００６４】
また筺体本体部が大きく前述の電池係合爪６７と電池の係合溝２０９との係合量Ｈが充分にとれる場合も第二の電池保持機構９６は不要である。
【００６５】
以上が本発明を用いた外部電源装置の実施例１の構成である。前述したとおり外部電源装置１に複数の電池を装着可能とした場合、電池を長手方向に並べたマガジンを用いることで、把持性や操作性の良い縦位置撮影用グリップ機能を提供することが出来るが、本発明では以下の改善が加わっている。
【００６６】
従来、複数の電池を並べたマガジンを用いる場合には、各電池の電池端子とそれぞれ接続される接続端子群をマガジン上に配置し、さらにマガジンと装置本体部間を電気的に接続する中継コネクタ等を別途設置するのが一般的であった。しかしながら中継コネクタそのものや、マガジン上の接続端子とマガジン側の中継コネクタとを結ぶ配線、さらにはこのマガジン内の配線を隠すカバー部材等が必要な構造となり、本実施例と比較してコストが高いものとなってしまう。また中継コネクタの存在により振動によるマイグレーションや、接点部の摩耗、腐食等による接触不良事故の発生確率が増大し信頼性の低下が懸念される。
【００６７】
そこで本発明を用いた外部電源装置１では、第一の電池収納部８３と第二の電池収納部８４に高低差を設ける事で、マガジン３挿入方向に直列に並べられた各電池を、電池室４内の対応する接続端子群３６、４０に直接接続する事を可能としている。従ってマガジンには中継コネクタの設置や余分な配線が不要となり、前述のとおりマガジン本体部５１を電池排出バネ７４、７５を除き全て一体成形で構成する事も出来るので、信頼性が高く低コストな外部電源装置を提供することが可能となる。
【００６８】
なお本実施例では接続端子群３６、４０を電池室４底面側のメインベースユニット３０上に配置する構造としたが、マガジンを含めて天地を逆転させて電池室天井側に配置しても良い。この場合接続端子群３６、４０とメイン基板ユニットが近接する。そのため、メイン基板９２上に接続端子群３６、４０を直接実装し、電池室４底面から電池室４上部に配置されるメイン基板９２をつないでいた配線を排除し、より低コストな外部電源装置１を提供することが可能となる。
【００６９】
また本実施例ではマガジンはマガジン本体５１とマガジン係止機構を備えた電池蓋５２とが一体となったものである。しかし、マガジン本体と電池蓋を分離して、マガジン本体を電池室４に先に挿入し、電池室開口部を塞ぐ電池蓋が装置本体部２に回動可能に取り付けられている構成であっても良い。この場合第二の電池保持機構に用いた電池ロック部材６０は、電池蓋内側に直接固定（一体化）された構造とする事が出来る。
【００７０】
また本実施例において本発明を用いる機器をカメラに別途装着される外部電源装置としたが、図３に示すカメラと外部電源装置が一体化した形態のカメラであっても構わない。
【実施例２】
【００７１】
図１０は本発明を用いた外部電源装置の第二の実施例におけるマガジン１０１を示した斜視図であり、上段（ａ）は電池が装着されていないマガジン１０１の上面側を、下段（ｂ）は電池２０１が装着されたマガジン１０１の下面側を示している。
【００７２】
マガジン１０１は、実施例１のマガジン３と同様に、マガジン１０１挿入方向に電池端子群２１７が露出する開口部１０５を有した第一の電池収納部１０３と、同じく開口部１０６を有した第二の電池収納部１０４が形成されたマガジン本体１０２を有する。また、マガジン係止機構を備えた電池蓋１０９を有する。このように、マガジン１０１は、マガジン本体１０２と電池蓋１０９で構成される。第一の電池収納部１０３と第二の電池収納部１０４が高低差を有している構成も実施例１のマガジン３と同様である。
【００７３】
次にマガジン本体１０２に形成された各電池収納部１０３、１０４の構造について説明するが、ここでも各電池収納部の部位の番号については第二の電池収納部１０４のものを括弧内に示す。
【００７４】
電池２０１の幅とほぼ同一の間隔で対向して設けられた収納部側壁１０７、１１１には電池の係合溝２０９と係合可能な電池係合爪１１５と、電池の係合溝２１１と係合可能な電池係合爪１１３が形成されている。また、電池２０１の幅とほぼ同一の間隔で対向して設けられた収納部側壁１０８、１１２には電池の係合溝２０９と係合可能な電池係合爪１１６と、電池の係合溝２１１と係合可能な電池係合爪１１４が形成されている。すなわち、収納部側壁１０７、１１１（１０８、１１２）には電池の係合溝２０９と係合可能な電池係合爪１１５（１１６）と、電池の係合溝２１１と係合可能な電池係合爪１１３（１１４）がそれぞれ１本ずつ形成されている。換言すれば、第一の電池収納部１０３の収納部側壁１０７，１１１（第一の側壁）には、収納される電池２０１（第一の電力供給部材）の係合溝２０９，２１１（被係合部）と係合する電池係合爪１１３，１１５（第三の係合部）が形成されている。また、第二の電池収納部１０４の収納部側壁１０８，１１２（第二の側壁）には、収納される電池２０１（第二の電力供給部材）の係合溝２０９，２１１（被係合部）と係合する電池係合爪１１４，１１６（第四の係合部）が形成されている。
【００７５】
電池係合爪１１３、１１５（１１４、１１６）は実施例１のものより電池収納部１０３内部方向への突出量が小さく、電池の係合溝２０９、２１１に対しては仮保持程度の係合量しか有していない。電池収納部１０３（１０４）のマガジン１０１挿入方向側の収納部側壁１０７、１１１（１０８、１１２）近傍には、装着される電池の係合溝２０９、２１１が露出するように切り欠かれた係合溝露出部１２４、１２６（１２５，１２７）が形成されている。具体的には、第一の電池収納部１０３は、装着される電池２０１（第一の電力供給部材）の係合溝２０９，２１１（被係合部）を露出する係合溝露出部１２４，１２６（第一の切り欠き部）を有する。また、第二の電池収納部１０４は、装着される電池２０１（第二の電力供給部材）の係合溝２０９，２１１（被係合部）を露出する係合溝露出部１２５，１２７（第二の切り欠き部）を有する。また、実施例１で説明したように、第一の電池収納部１０３と第二の電池収納部１０４が高低差を有していることから、第一の切り欠き部は、収納部床面１１７，１１８と直交する方向において、第二の切り欠き部と異なる高さに設けられている。
【００７６】
ここで、収納部側壁１０７（１０８）は係合溝露出部１２４（１２５）で大きく切り欠かれていることも相まって電池係合爪１１３（１１４）が外側へ逃げるような可撓性を有している。
【００７７】
各電池収納部１０３（１０４）の長手方向を仕切っている仕切り壁１２１、１２２（１２２、１２３）の間隔は、電池２０１の長手方向の寸法とほぼ同一であり、実施例１のマガジンのように電池２０１を主装填方向にスライドさせるスペースは設けられていない。仕切り壁１２１（１２２）には、電池保持バネ部１１９（１２０）が一体形成されている。電池保持バネ部１１９（１２０）は、先端に形成された突起部１１９ａ（１２０ａ）に装着された電池２０１が僅かに干渉する事で、自身の撓みによる付勢力を発生し、装填された電池の長手方向のガタを抑える役目を持っている。
【００７８】
電池２０１の電池収納部１０３（１０４）への装着は、電池２０１を上方から押し込む事で行う。収納部側壁１０７（１０８）は、マガジン１０１に第一の切り欠き部（第二の切り欠き部）が形成されることによって、可撓性を有しているため、電池の押し込み力により撓み収納部側壁１０７（１０８）に形成された電池係止爪１１３（１１４）が外側へ逃げる。そして、電池係合爪１１３、１１５（１１４、１１６）の突出量が少ない事により電池２０１の電池収納部１０３（１０４）への侵入が可能となり、電池２０１が電池収納部１０３（１０４）に完全に収められる。電池２０１が電池収納部１０３（１０４）に収められると、電池係止爪１１３（１１４）が元に戻り、電池係止爪１１５（１１６）とともに係合溝２０９、２１１に係合して電池２０１を仮保持する。電池を取り外す際には、大きく切り欠かれた係合溝露出部１２４（１２５）に露出する電池のパック底面２０３に指を掛けて電池２０１を引き上げる事で行う。電池の引き上げ力により電池装着時と同様に収納部側壁１０７（１０８）が撓んで電池係止爪１１３（１１４）の係合が解除され、そのまま電池２０１全体を持ち上げれば良い。
【００７９】
図１１は上記マガジン１０１が装着される電池室底面のメインベースユニット１３１を示した斜視図である。基本的な構造は実施例１のメインベースユニット３０と同様である。したがって、メインベースユニット１３１上面には、実施例１と同様にマガジン１０１の第一の電池収納部１０３と第二の電池収納部１０４に対応して高低差を有する第一の接続端子群１３６と第二の接続端子群１４０が配置されている。
【００８０】
メインベースユニット１３１には実施例１と同様な電源ブレード１３４、１３８および可撓性の通信接片１３５、１３９が配置されている。電源ブレード１３４および通信接片１３５は、マガジン１０１の第一の電池収納部１０３に装着された電池の電池端子群２１７と接続可能な第一の接続端子群１３６に配置されている。電源ブレード１３８および通信接片１３９は、マガジン１０１の第二の電池収納部１０４に装着された電池の電池端子群２１７と接続可能な第二の接続端子群１４０に配置されている。
【００８１】
なお第一、第二の電池端子群１３６、１４０それぞれの近傍にはカメラ電池室３０９内には設けられていないマガジンの各電池収納部の電池装着の有無を検知するための電池検出スイッチ突子１３７、１４１が配置されている。電池が装着されていた場合は電池のパック底面部２０３がスイッチ突子１３７、１４１を押し込むことで内部の不図示のスイッチ素子が切り替わり、前述のコネクタピン群１１を介してカメラ３０１に電池の装着状態を伝達する。また第二の接続端子群１４０の近傍には、第一の接続端子群１３６には設けられていないカプラー接続端子１４２が配置されている。これは第二の電池収納部１０４に装着可能な商用電源を用いて電力を供給する電池形状を模したカプラーが装着された場合にカプラーと通信しカプラーとするためのものである。
【００８２】
メインベースユニット１３１の下面には、下フック係止部１３２ａが一体形成されたボトムプレートが取り付けられる。下フック係止部１３２ａに隣接して配置される電池蓋開閉検知レバー１３３は、マガジン１０１の装置本体部への固定時に下フック係止板１３２ａに係合するフックの下係合端に押されて回動する。そして、内部の不図示のスイッチが切り替わる事でマガジン１０１が装着完了した事をコネクタピン群１１を介してカメラに伝達する。
【００８３】
メインベースユニット１３１で実施例１と異なるのは、マガジン１０１装着時に係合溝露出部１２６、１２４、１２７、１２５にて露出した電池２０１の係合溝２０９、２１１と係合するレール１４３、１４４、１４５、１４６が形成されている事である。上記レール１４３、１４４、１４５、１４６を用いた電池の保持は本実施例における第一の保持機構となる。
【００８４】
このように、本実施例において、第一の電池収納部１０３は、装着される電池２０１の係合溝２０９，２１１を電源装置のレール１４３，１４４（第一の係合部）と直接係合させるために、係合溝露出部１２４，１２６（第一の切り欠き部）を有する。換言すれば、第一の電池収納部１０３には、第一の電池収納部１０３に電池２０１（第一の電力供給部材）を収納した際に、電池２０１（第一の電力供給部材）の係合溝２０９，２１１（第一の被係合部）を露出させる第一の切り欠き部が形成されている。また、第二の電池収納部１０４は、装着される電池２０１の係合溝２０９，２１１を電源装置のレール１４５，１４６（第二の係合部）と直接係合させるために、係合溝露出部１２５，１２７（第二の切り欠き部）を有する。換言すれば、第二の電池収納部１０４には、第二の電池収納部１０４に電池２０１（第二の電力供給部材）を収納した際に、電池２０１（第二の電力供給部材）の係合溝２０９，２１１（第二の被係合部）を露出させる第二の切り欠き部が形成されている。また、メインベースユニット１３１は、第一の電池収納部１０３に形成される第一の切り欠き部を介して露出する電池２０１の係合溝２０９，２１１と係合するレール１４３，１４４（第一の係合部）を有する。また、第二の電池収納部１０４に形成される第二の切り欠き部を介して露出する電池２０１の係合溝２０９，２１１と係合するレール１４５，１４６（第二の係合部）を有する。このように、マガジン１０１を電源装置に挿入した際に、第一の切り欠き部から露出した第一の被係合部が電源装置の第一の係合部と係合するように、第一の切り欠き部が形成されている。また、第二の切り欠き部から露出した第二の被係合部が電源装置の第二の係合部と係合するように、第二の切り欠き部が形成されている。なお、上述したように第一の切り欠き部と第二の切り欠き部が高低差を有していることから、第一の係合部は、マガジン１０１を電源装置に挿入する挿入方向と直交する方向において、第二の係合部と異なる高さに配置されている。すなわち、第一の係合部は、メインベースユニット１３１上の接続端子群が設置される設置面と直交する方向において、第二の係合部と異なる高さに配置される。
【００８５】
また上記のレールを用いた電池の保持は前述のカメラ電池室３０９を直列に二つ並べたイメージに等しいとも言え、電池長手方向の保持は電池蓋３０５に変えてマガジン本体１０２の仕切り壁１２２、１２３が担う事になる。
【００８６】
係合溝２０９、２１１とレール１４３、１４４、１４５、１４６の係合量は実施例１のマガジン３と比較すると大きく異なり、第一、第二の電池収納部からの脱落を防止するのに充分なＨ２の長さが確保され、本実施例では第二の電池保持機構を全く必要としない。また実施例１にて必要であった電池排出バネを必要としないので、さらに外部電源装置１のコストダウンが図れる。
【００８７】
ただし本実施例のマガジン本体１０２の構造はマガジン装着時に第一の電池収納部１０３部分を通過するレール１４５、１４６を考慮しなければならない。そのため、実施例１より第一の電池収納部１０３と第二の電池収納部１０４の高低差を多くとらなければならない。
【００８８】
本発明によれば、複数の電池パックか収納可能で縦位置撮影用グリップ機能に優れたマガジンタイプの電源装置を、従来必要であったマガジンと装置本体をつなぐ上の余分な配線や中継コネクタを廃しつつ、電気的信頼性向上およびコスト低減を実現できる。
【産業上の利用可能性】
【００８９】
本発明は、一眼レフカメラ、ビデオカメラなどの撮像装置に好適に利用できる。
【符号の説明】
【００９０】
３・・・マガジン
８３・・・第一の電池収納部
８４・・・第二の電池収納部
７２，７３・・・開口部
【図１】
0006682255.tif 000002
【図２】
0006682255.tif 000003
【図３】
0006682255.tif 000004
【図４】
0006682255.tif 000005
【図５】
0006682255.tif 000006
【図６】
0006682255.tif 000007
【図７】
0006682255.tif 000008
【図８】
0006682255.tif 000009
【図９】
0006682255.tif 000010
【図１０】
0006682255.tif 000011
【図１１】
0006682255.tif 000012
【図１２】
0006682255.tif 000013
【図１３】
0006682255.tif 000014